(57)【要約】【課題】現場での施工が容易で、引き抜き荷重に対しても十分な抵抗力を有する農業用ハウスの基礎を提供する。【解決手段】角筒状の垂直基体１０１と、垂直基体１０１の上下の開口を塞ぐ様に固定された水平プレート１０２，１０３と、垂直基体１０１の下部において、前後に対向する面間及び左右に対向する面間をそれぞれ貫通する様に形成された鉄筋挿入孔１１１〜１１４とを備える。鉄筋挿入孔は、前後方向１１１，１１２と左右方向１１３，１１４とで上下方向に鉄筋の直径分だけ位置をずらして形成される。各鉄筋挿入孔には交差する様に鉄筋１２１〜１２４が挿通されると共に、鉄筋の端部同士を連結する様に四角い枠体１３１が結束されている。下端の水平プレート１０３の貫通孔１４１を利用して五寸釘で穴底に仮止めすることにより、コンクリート打設時に傾くことがない。【選択図】  図１
0003140828.tif 000002
【実用新案登録請求の範囲】
【請求項１】
角筒状の垂直基体と、
該垂直基体の上下の開口を塞ぐ様に固定された水平プレートと、
前記垂直基体の下部において、前後に対向する面間及び左右に対向する面間をそれぞれ貫通する様に形成された鉄筋挿入孔とを備え、
前記鉄筋挿入孔は、前後方向と左右方向で上下方向に位置をずらして形成され、
該各鉄筋挿入孔には、前後方向及び左右方向に交差する様に鉄筋が挿通され、
該鉄筋の端部同士を連結する様に四角い枠体を取り付け、
前記水平プレートは前記垂直基体の開口断面よりも十分に広く、開口断面よりもはみ出した部分に複数の貫通孔が形成されていること
を特徴とする農業用ハウスの基礎。
【請求項２】
前記鉄筋挿入孔は、前後方向と左右方向で上下方向に鉄筋の直径分だけ位置をずらして形成され、
前記四角い枠体は鉄筋によって形成されていること
を特徴とする請求項１記載の農業用ハウスの基礎。
【請求項３】
前記垂直基体には、地面の高さとなる付近に腐食防止用の防腐テープが巻かれていること
を特徴とする請求項１又は２記載の農業用ハウスの基礎。
【考案の詳細な説明】
【技術分野】
【０００１】
本考案は、農業用ハウスの基礎及びその基礎に関する。
【背景技術】
【０００２】
従来、図３（Ａ）に示す様に、底板基体２ｂの中心に上部連結基体２ａを三角プレートで補強しつつ取り付け、上部連結基体２ａの上部にビニールハウスの柱との柱連結用穴１ｄを設けると共に、傾倒防止箱型基体１ａをスライドパイプ１ｂで高さ調整して止めボルト１ｃで取り付ける様にしたものが提案されている（特許文献１）。
【０００３】
また、図３（Ｂ）に示す様に、地面10に掘削した掘削孔11に柱体２，５の下部を配設し、掘削孔11から直立した柱体２，５の周囲にセメント系固化材と土壌とを混合した基礎材12を充填して固化し柱体２，５の下部を地面に基礎材12にて埋設固定する提案もなされている（特許文献２）。
【０００４】
さらに、図３（Ｃ）に示す様に、地盤２０に対し、相互の間隔が下方に行くに従って広くなるように傾斜して打ち込まれる複数の杭１１，１２と、各杭１１，１２の軸心に沿った仮想線ａ，ｂが、負荷される鉛直荷重の作用線ｃ上で交差するように、各杭１１，１２の上端部１１ａ，１２ａを結束するヘッド部１３とを具備して構成される基礎の提案もある（特許文献３）。
【０００５】
また、図３（Ｄ）に示す様に、地中に垂直に掘削した掘削孔４と、該掘削孔内に軸線を垂直方向に向けて装入した一定長さの筒状体１と、該筒状体内および筒状体外周面と掘削孔壁面間に充填されたコンクリート或いはモルタル等の固結材６と、筒状体上端に突出させたアンカー３とからなる基礎の提案もある（特許文献４）。
【特許文献１】特開平８−３９９５号公報（要約，図１）
【特許文献２】特開平１１−１８７７７３号公報（要約，図１）
【特許文献３】特開２００２−３０６７９号公報（要約，図１）
【特許文献４】実用新案登録第３０８９０３４号公報（要約，図１）
【考案の開示】
【考案が解決しようとする課題】
【０００６】
しかし、特許文献１，４の考案は、引き抜き荷重に対する十分な抵抗力を発揮させるのが困難であり、特許文献２は溶接構造とするため運搬等が困難であり、特許文献３は傾斜杭の打ち込みに特殊な器具を要するなどの問題がある。
【０００７】
そこで、本考案は、現場での施工が容易で、引き抜き荷重に対しても十分な抵抗力を有する農業用ハウスの基礎を提供することを目的とする。
【課題を解決するための手段】
【０００８】
上記目的を達成するためになされた本考案の農業用ハウスの基礎は、角筒状の垂直基体と、該垂直基体の上下の開口を塞ぐ様に固定された水平プレートと、前記垂直基体の下部において、前後に対向する面間及び左右に対向する面間をそれぞれ貫通する様に形成された鉄筋挿入孔とを備え、前記鉄筋挿入孔は、前後方向と左右方向で上下方向に位置をずらして形成され、該各鉄筋挿入孔には、前後方向及び左右方向に交差する様に鉄筋が挿通され、該鉄筋の端部同士を連結する様に四角い枠体を取り付け、前記水平プレートは前記垂直基体の開口断面よりも十分に広く、開口断面よりもはみ出した部分に複数の貫通孔が形成されていることを特徴とする。
【０００９】
本考案の農業用ハウスの基礎によれば、垂直基体は角筒（例えば、鋼製の角パイプ）で構成されているので、軽量で運搬や施工が容易である。そして、この垂直基体には、前後及び左右方向に交差する様に鉄筋を挿入し、その端部同士を連結する様に四角い枠体が取り付けられることにより、地中において上下方向の力に対する十分な抵抗力が発揮される。また、かかる軽量なものであることから、コンクリートを打設する際に傾くおそれがあるが、下端の水平プレートの貫通孔を利用して、例えば、五寸釘などで仮止めすることにより、コンクリート打設時の傾きを防止することができる。そして、上端の水平プレートの貫通孔を利用してハウスの柱をボルト・ナット等で連結することができる。
【００１０】
ここで、前記鉄筋挿入孔は、前後方向と左右方向で上下方向に鉄筋の直径分だけ位置をずらして形成され、前記四角い枠体は鉄筋によって形成されている構成とすることができる。
【００１１】
かかる構成とすることにより、地中で上下方向の抵抗力を発揮する四角い枠体は、現場での鉄筋結束作業で容易に固定することができる。
【００１２】
また、前記垂直基体には、地面の高さとなる付近に腐食防止用の防腐テープが巻かれていることが望ましい。
【００１３】
かかる構成とすることで、垂直基体の腐食を防止することができる。
【００１４】
なお、垂直基体には、亜鉛メッキを施しておくとよい。
【考案の効果】
【００１５】
本考案によれば、引き抜き抵抗力の十分な軽量基礎を実現でき、軽量である故の施工時の傾き等の新たな問題を防止することもできる。
【考案を実施するための最良の形態】
【００１６】
次に、本考案の実施の形態について説明する。実施形態としての農業用ハウスの基礎１００は、図１，図２に示す様に、角筒状の垂直基体１０１と、垂直基体１０１の上下の開口を塞ぐ様に固定された水平プレート１０２，１０３と、垂直基体１０１の下部において、前後に対向する面間及び左右に対向する面間をそれぞれ貫通する様に形成された鉄筋挿入孔１１１〜１１４とを備える。なお、本実施形態においては、垂直基体１０１として、７５ｍｍ角の鋼製角パイプ（３．２ｍｍ厚）を使用し、溶融亜鉛メッキ（ドブメッキ）を施したものを用いる。
【００１７】
鉄筋挿入孔は、前後方向１１１，１１２と左右方向１１３，１１４とで上下方向に鉄筋の直径分だけ位置をずらして形成されている。そして、各鉄筋挿入孔には、前後方向及び左右方向に交差する様に鉄筋１２１〜１２４が挿通されると共に、鉄筋の端部同士を連結する様に四角い枠体１３１が結束されている。この四角い枠体１３１は、２本の鉄筋を折り曲げたものによって形成されている。
【００１８】
また、上下の水平プレート１０２，１０３は、垂直基体１０１の開口断面よりも十分に広く、開口断面よりもはみ出した部分に複数の貫通孔１４１が形成されている。そして、垂直基体１０１には、地面の高さとなる付近に腐食防止用の防腐テープ１５１が巻かれている。
【００１９】
本実施形態の基礎１００は、施工現場において、前後及び左右方向に交差する様に鉄筋１２１〜１２４を挿入し、その端部同士を連結する様に四角い枠体１３１を結束する。そして、地中に掘った穴に対して垂直基体１０１を垂直に設置し、下端の水平プレート１０３の貫通孔１４１を利用して五寸釘で穴底に仮止めする。このとき、四角い枠体１３１の適所を支える様に支持ブロックを穴底との間に挟み込む。そして、この四角い枠体１３１の周囲を取り囲む様に型枠を設置してコンクリートを打設する。実施形態では、型枠によって１辺が８００ｍｍで高さ２００ｍｍのベース用の区画を形成し、コンクリートを打設する。
【００２０】
コンクリートが固まったら、穴を土で埋め、上端の水平プレート１０２の貫通孔１４１を利用してハウスの柱１６１を、その下端に固定された同様の水平プレート１６２の貫通穴に挿通させたボルト・ナットで連結する。
【００２１】
本実施形態によれば、８００×８００×２００のベースを備えた基礎を傾くことなく容易に施工することができる。
【００２２】
以上、本考案の一実施の形態について説明したが、本考案はこの実施の形態に限られるものではなく、その要旨を逸脱しない範囲内においてさらに種々の形態を採用することができることはもちろんである。
【図面の簡単な説明】
【００２３】
【図１】実施形態の農業用ハウスの基礎を示す斜視図である。
【図２】実施形態の農業用ハウスの基礎を示す正面図である。
【図３】従来技術の説明図である。
【符号の説明】
【００２４】
１００・・・農業用ハウスの基礎
１０１・・・垂直基体
１０２，１０３・・・水平プレート
１１１〜１１４・・・鉄筋挿入孔
１２１〜１２４・・・鉄筋
１３１・・・四角い枠体
１４１・・・貫通孔
１５１・・・防腐テープ
１６１・・・柱
１６２・・・柱側の水平プレート
【図１】
0003140828.tif 000003
【図２】
0003140828.tif 000004
【図３】
0003140828.tif 000005